(57)【要約】【課題】より直感的な操作を可能とする技術の提供を目的とする。【解決手段】情報制御装置であって、複数の表示装置に含まれる複数の表示領域に表示する表示情報の割り当てに関する割当情報を記憶する記憶部と、前記割当情報に基づいて、前記複数の表示領域の各々に、前記表示情報を表示する制御部と、を備え、前記制御部は、ユーザーによる入力部への所定のスライド操作を検出すると、前記記憶部により記憶された前記複数の表示領域に表示する表示情報の割り当てを変更し、変更した前記割当情報に基づいて、前記複数の表示領域の各々に、前記表示情報を表示することを特徴とする。【選択図】図１
2019020682.tif 000002
【特許請求の範囲】
【請求項１】
複数の表示装置に含まれる複数の表示領域に表示する表示情報の割り当てに関する割当情報を記憶する記憶部と、
前記割当情報に基づいて、前記複数の表示領域の各々に、前記表示情報を表示する制御部と、を備え、
前記制御部は、
ユーザーによる入力部への所定のスライド操作を検出すると、前記記憶部により記憶された前記複数の表示領域に表示する表示情報の割り当てを変更し、変更した前記割当情報に基づいて、前記複数の表示領域の各々に、前記表示情報を表示することを特徴とする、情報制御装置。
【請求項２】
請求項１に記載の情報制御装置であって、
前記制御部は、
ユーザーから入力部へのスライド操作を検出すると、１つの前記表示装置の前記表示領域に割り当てられた前記表示情報を、他の１つの前記表示装置の前記表示領域に割り当てることを特徴とする、情報制御装置。
【請求項３】
請求項１に記載の情報制御装置であって、
前記割当情報は、所定の配置順を有し、
前記制御部は、
前記所定の配置順に基づいて、前記複数の表示領域の各々に、前記表示情報を表示し、
前記所定のスライド操作を検出すると、前記所定の配置順のまま、前記複数の表示領域に表示する表示情報の割り当てを変更することを特徴とする、情報制御装置。
【請求項４】
請求項１に記載の情報制御装置であって、
前記割当情報は、所定の配置順を有し、
前記制御部は、
前記所定のスライド操作を検出すると、スライドされた方向に応じて、前記所定の配置順のまま、前記複数の表示領域に表示する表示情報の割り当てを変更することを特徴とする、情報制御装置。
【請求項５】
請求項１に記載の情報制御装置であって、
前記割当情報は、所定の配置順を有し、
前記制御部は、
前記所定のスライド操作の開始位置と、終了位置および所定の基準点とを用いて特定されるスライド角度に応じてずらし量を特定し、該ずらし量に応じて、前記所定の配置順のまま、前記表示領域に表示する表示情報の割り当てを変更することを特徴とする、情報制御装置。
【請求項６】
請求項１に記載の情報制御装置であって、
前記制御部は、
ユーザーによる所定のオブジェクトを表示する操作を検出すると、前記所定のオブジェクトを表示し、前記所定のオブジェクトを表示している場合に、前記入力部が前記スライド操作の入力を受け付け可能であることを特徴とする、情報制御装置。
【請求項７】
少なくとも３つの表示領域に表示する表示情報の割り当てに関する割当情報を記憶する記憶部と、
前記割当情報に基づいて、前記表示領域の各々に、前記表示情報を表示する制御部と、を備え、
前記制御部は、
ユーザーから入力部へのスライド操作を検出すると、前記記憶部により記憶された前記表示領域の各々に表示する表示情報の割り当てを変更し、変更した前記割当情報に基づいて、前記表示領域の各々に、前記表示情報を表示することを特徴とする、情報制御装置。
【請求項８】
請求項７に記載の情報制御装置であって、
前記割当情報は、所定の配置順を有し、
前記制御部は、
前記所定のスライド操作を検出すると、スライドされた方向に応じて、前記所定の配置順のまま、前記表示領域に表示する表示情報の割り当てを変更することを特徴とする、情報制御装置。
【請求項９】
請求項７に記載の情報制御装置であって、
前記割当情報は、所定の配置順を有し、
前記制御部は、
前記所定のスライド操作の開始位置と、終了位置および所定の基準点とを用いて特定されるスライド角度に応じてずらし量を特定し、該ずらし量に応じて、前記所定の配置順のまま、前記表示領域に表示する表示情報の割り当てを変更することを特徴とする、情報制御装置。
【請求項１０】
請求項７に記載の情報制御装置であって、
前記制御部は、
ユーザーによる所定のオブジェクトを表示する操作を検出すると、前記所定のオブジェクトを表示し、前記所定のオブジェクトを表示している場合に、前記入力部が前記スライド操作の入力を受け付け可能であることを特徴とする、情報制御装置。
【請求項１１】
情報制御装置が行う情報制御方法であって、
前記情報制御装置は、記憶部と、制御部とを備え、
前記記憶部は、複数の表示装置に含まれる複数の表示領域に表示する表示情報の割り当てに関する割当情報を記憶しており、
前記制御部は、
前記割当情報に基づいて、前記複数の表示領域の各々に、前記表示情報を表示させる制御手順を実行し、
前記制御手順において、ユーザーによる入力部への所定のスライド操作が検出されると、前記記憶部により記憶された前記複数の表示領域に表示する表示情報の割り当てを変更し、変更した前記割当情報に基づいて、前記複数の表示領域の各々に、前記表示情報を表示することを特徴とする、情報制御方法。
【請求項１２】
請求項１１に記載の情報制御方法であって、
前記制御手順において、
ユーザーから入力部へのスライド操作が検出されると、１つの前記表示装置の前記表示領域に割り当てられた前記表示情報を、他の１つの前記表示装置の前記表示領域に割り当てることを特徴とする、情報制御方法。
【請求項１３】
請求項１１に記載の情報制御方法であって、
前記割当情報は、所定の配置順を有し、
前記制御手順において、
前記所定の配置順に基づいて、前記複数の表示領域の各々に、前記表示情報が表示され、
前記所定のスライド操作が検出されると、前記所定の配置順のまま、前記複数の表示領域に表示する表示情報の割り当てを変更することを特徴とする、情報制御方法。
【請求項１４】
請求項１１に記載の情報制御方法であって、
前記割当情報は、所定の配置順を有し、
前記制御手順において、
前記所定のスライド操作が検出されると、スライドされた方向に応じて、前記所定の配置順のまま、前記複数の表示領域に表示する表示情報の割り当てを変更することを特徴とする、情報制御方法。
【請求項１５】
請求項１１に記載の情報制御方法であって、
前記割当情報は、所定の配置順を有し、
前記制御手順において、
前記所定のスライド操作の開始位置と、終了位置および所定の基準点とを用いて特定されるスライド角度に応じてずらし量を特定し、該ずらし量に応じて、前記所定の配置順のまま、前記表示領域に表示する表示情報の割り当てを変更することを特徴とする、情報制御方法。
【請求項１６】
請求項１１に記載の情報制御方法であって、
前記制御手順において、
ユーザーによる所定のオブジェクトを表示する操作を検出すると、前記所定のオブジェクトを表示し、前記所定のオブジェクトを表示している場合に、前記入力部が前記スライド操作の入力を受け付け可能であることを特徴とする、情報制御方法。
【請求項１７】
情報制御装置が行う情報制御方法であって、
前記情報制御装置は、記憶部と、制御部とを備え、
前記記憶部は、少なくとも３つの表示領域に表示する表示情報の割り当てに関する割当情報を記憶しており、
前記制御部は、
前記割当情報に基づいて、前記表示領域の各々に、前記表示情報を表示する制御手順を実行し、
前記制御手順において、ユーザーによる入力部への所定のスライド操作が検出されると、ユーザーから入力部へのスライド操作を検出すると、前記記憶部により記憶された前記表示領域の各々に表示する表示情報の割り当てを変更し、変更した前記割当情報に基づいて、前記表示領域の各々に、前記表示情報を表示することを特徴とする、情報制御方法。
【請求項１８】
請求項１７に記載の情報制御方法であって、
前記割当情報は、所定の配置順を有し、
前記制御手順において、
前記所定のスライド操作が検出されると、スライドされた方向に応じて、前記所定の配置順のまま、前記表示領域に表示する表示情報の割り当てを変更することを特徴とする、情報制御方法。
【請求項１９】
請求項１７に記載の情報制御方法であって、
前記割当情報は、所定の配置順を有し、
前記制御手順において、
前記所定のスライド操作の開始位置と、終了位置および所定の基準点とを用いて特定されるスライド角度に応じてずらし量を特定し、該ずらし量に応じて、前記所定の配置順のまま、前記表示領域に表示する表示情報の割り当てを変更することを特徴とする、情報制御方法。
【請求項２０】
請求項１７に記載の情報制御方法であって、
前記制御手順において、
ユーザーによる所定のオブジェクトを表示する操作が検出されると、前記所定のオブジェクトを表示し、前記所定のオブジェクトを表示している場合に、前記入力部が前記スライド操作の入力を受け付け可能であることを特徴とする、情報制御方法。
【発明の詳細な説明】
【技術分野】
【０００１】
本発明は、情報制御装置、及び情報制御方法に関する。
【背景技術】
【０００２】
特許文献１には、電子機器に関する技術が開示されている。具体的には、特許文献１には、「表示領域に表示を行う表示部と、前記表示領域に対する操作を検出する操作検出部と、前記表示部を制御する表示制御部と、を備え、前記表示制御部は、前記表示領域に含まれる第１表示領域を複数の分割領域に分割し、当該複数の分割領域のそれぞれの表示を独立して制御する分割表示モードを有し、前記表示制御部は、前記分割表示モードにおいて、前記複数の分割領域のそれぞれに対する設定を可能にする一つの操作対象画像を前記表示部に表示させる」と記載されている。
【先行技術文献】
【特許文献】
【０００３】
【特許文献１】特開２０１５−８７８６１号公報
【発明の概要】
【発明が解決しようとする課題】
【０００４】
ユーザーからの操作で直感的に表示情報を変更する技術が期待されている。
【０００５】
本発明は、上記の点に鑑みてなされたものであって、より直感的な操作を可能とする技術の提供を目的とする。
【課題を解決するための手段】
【０００６】
本願は、上記課題の少なくとも一部を解決する手段を複数含んでいるが、その例を挙げるならば、以下の通りである。
【０００７】
上記課題を解決するため、本発明の一態様に係る情報制御装置は、複数の表示装置に含まれる複数の表示領域に表示する表示情報の割り当てに関する割当情報を記憶する記憶部と、前記割当情報に基づいて、前記複数の表示領域の各々に、前記表示情報を表示する制御部と、を備え、前記制御部は、ユーザーによる入力部への所定のスライド操作を検出すると、前記記憶部により記憶された前記複数の表示領域に表示する表示情報の割り当てを変更し、変更した前記割当情報に基づいて、前記複数の表示領域の各々に、前記表示情報を表示することを特徴とする。
【０００８】
また、上記課題を解決するため、本発明の他の態様に係る情報制御装置は、少なくとも３つの表示領域に表示する表示情報の割り当てに関する割当情報を記憶する記憶部と、前記割当情報に基づいて、前記表示領域の各々に、前記表示情報を表示する制御部と、を備え、前記制御部は、ユーザーから入力部へのスライド操作を検出すると、前記記憶部により記憶された前記表示領域の各々に表示する表示情報の割り当てを変更し、変更した前記割当情報に基づいて、前記表示領域の各々に、前記表示情報を表示することを特徴とする。
【発明の効果】
【０００９】
本発明によれば、より直感的な操作を可能とする技術を提供することができる。
【００１０】
上記した以外の課題、構成、及び効果は、以下の実施形態の説明により明らかにされる。
【図面の簡単な説明】
【００１１】
【図１】情報制御システムの機能ブロックの一例を示す図である。
【図２】車載器の機能ブロックの一例を示した図である。
【図３】割当情報の一例を示す図である。
【図４】モード１におけるディスプレイの表示態様の一例について説明するための図（その１）である。
【図５】モード１におけるディスプレイの表示態様の一例について説明するための図（その２）である。
【図６】モード１におけるディスプレイの表示態様の一例について説明するための図（その３）である。
【図７】割当情報の他の例を示す図である。
【図８】モード２におけるディスプレイの表示態様の一例について説明するための図（その１）である。
【図９】モード２におけるディスプレイの表示態様の一例について説明するための図（その２）である。
【図１０】表示変更処理の一例を示すフローチャートである。
【図１１】車内の各座席に設けられた複数のディスプレイに対し、車載器が表示変更を行う例の概要を示す図である。
【発明を実施するための形態】
【００１２】
以下、図面に基づいて本発明の実施形態の例を説明する。図１は、情報制御システム１０００の機能ブロックの一例を示す図である。情報制御システム１０００は、情報制御装置と、該情報制御装置と通信可能に接続された外部ディスプレイ２００と、を備える。なお、情報制御システム１０００において、情報制御装置は必ずしも外部ディスプレイ２００と接続されていなくてもよい。
【００１３】
情報制御装置は、例えばＰＣ（Personal Computer）、スマートフォン、タブレット端末等の情報処理装置である。以下、情報制御装置が車載器１００である例を用いて説明する。
【００１４】
車載器１００は、例えば、ナビゲーション機能を備えた車載ナビゲーション装置によって実現可能である。そのため、車載器１００は、例えば、前面にディスプレイを備える箱型の装置であり、車内のコンソールパネルに収容される。また、車載に取り付けるための取り付け具（ブラケット）を備えており、取り付け具を介して、車内のコンソールパネルの上等に取り付けられるものであってもよい。ここで、ナビゲーション機能とは、地図情報の表示、出発地（または現在地）から目的地までの推奨経路の探索および誘導、交通情報の表示といった通常のナビゲーション装置が備える機能である。
【００１５】
車載器１００は、演算処理装置１と、ディスプレイ２と、記憶装置３と、音声入出力装置４（音声入力装置としてのマイクロフォン４１と、音声出力装置としてのスピーカー４２とを有する）と、入力装置５と、ＲＯＭ(Ｒｅａｄ  Ｏｎｌｙ  Ｍｅｍｏｒｙ)装置６と、車速センサー７と、ジャイロセンサー８と、ＧＰＳ(Ｇｌｏｂａｌ  Ｐｏｓｉｔｉｏｎｉｎｇ  Ｓｙｓｔｅｍ)受信装置９と、ＦＭ多重放送受信装置１０と、ビーコン受信装置１１とを有している。
【００１６】
演算処理装置１は、車載器１００の様々な処理を行う中心的なユニットである。演算処理装置１は、例えば、車速センサー７などの各種センサおよびＧＰＳ受信装置９から出力された情報を用いて現在地を検出する。また、演算処理装置１は、得られた現在地情報に基づいて、表示に必要な地図情報を記憶装置３あるいはＲＯＭ装置６から読み出す。また、演算処理装置１は、読み出した地図情報をグラフィックス展開し、そこに現在地を示すマークを重ねてディスプレイ２へ表示させる信号を出力する。また、演算処理装置１は、記憶装置３あるいはＲＯＭ装置６に記憶されている地図情報などを用いて、ユーザーから指示された出発地と目的地とを結ぶ推奨経路を算出する。また、演算処理装置１は、スピーカー４２やディスプレイ２に所定の信号を出力して経路の誘導を行う。
【００１７】
演算処理装置１は、数値演算及び各デバイスを制御するなど様々な処理を実行するＣＰＵ(Ｃｅｎｔｒａｌ  Ｐｒｏｃｅｓｓｉｎｇ  Ｕｎｉｔ)２１と、記憶装置３またはＲＯＭ２３などのメモリ装置から読み出した地図情報や演算データなどを一時的に格納するＲＡＭ(Ｒａｎｄｏｍ  Ａｃｃｅｓｓ  Ｍｅｍｏｒｙ)２２と、ＣＰＵ２１が実現するブートプログラムなどを格納するＲＯＭ２３と、演算処理装置１に各種ハードウェアを接続するためのＩ／Ｆ（インターフェイス）２４と、これらを相互に接続するバス２５とを有している。
【００１８】
ディスプレイ２は、グラフィックス情報を表示するユニットである。ディスプレイ２は、例えば、液晶ディスプレイや有機ＥＬディスプレイなどで構成される。
【００１９】
記憶装置３は、ＨＤＤ（Ｈａｒｄ  Ｄｉｓｋ  Ｄｒｉｖｅ）や不揮発性メモリカードといった、少なくとも読み書きが可能な記憶媒体で構成される。記憶装置３には、例えば、演算処理装置１によって用いられる様々な情報（例えば地図情報）が格納されている。
【００２０】
音声入出力装置４は、音声入力装置としてのマイクロフォン４１と、音声出力装置としてのスピーカー４２とを有する。マイクロフォン４１は、運転者や同乗者の発した声（ユーザー発話）など、車載器１００の外部の音声を取得する。また、スピーカー４２は、演算処理装置１で生成されたドライバなどへの案内を音声として出力する。
【００２１】
入力装置５は、ユーザーからの指示入力を受け付ける装置である。入力装置５は、タッチパネル５１と、ダイヤルスイッチ５２と、その他のハードスイッチであるスクロールキー、など（図示せず）で構成されている。入力装置５は、各キーや各スイッチの操作に応じた情報を演算処理装置１など他の装置に出力する。
【００２２】
タッチパネル５１は、ディスプレイ２の表示面側に搭載され、表示画面を透視可能に搭載された入力装置５である。タッチパネル５１は、人の指によるタッチや専用のタッチペンによるタッチを検知する。ユーザーによるタッチ位置は、例えば、タッチパネル５１上に設定されるＸＹ座標に基づき特定される。このようなタッチパネル５１は、例えば、静電容量方式による入力検出素子などで構成される。タッチパネル５１が搭載されたディスプレイ２は、所定の面積を有する矩形等の図形を表示し、ユーザーによりこの図形がタッチ操作されると、原則として、予め定められた動作が実行される。
【００２３】
ＲＯＭ装置６は、ＣＤ（Ｃｏｍｐａｃｔ  Ｄｉｓｋ）-ＲＯＭやＤＶＤ（Ｄｉｇｉｔａｌ  Ｖｅｒｓａｔｉｌｅ  Ｄｉｓｋ）-ＲＯＭなどのＲＯＭ、ＩＣ（Ｉｎｔｅｇｒａｔｅｄ  Ｃｉｒｃｕｉｔ）カードなどの、少なくとも読み取りが可能な記憶媒体で構成されている。この記憶媒体には、例えば、動画データや、音声データなどが記憶されている。
【００２４】
車速センサー７は、車速を算出するのに用いる値を出力するセンサである。ジャイロセンサー８は、光ファイバジャイロや振動ジャイロなどで構成され、移動体の回転による角速度を検出するセンサである。ＧＰＳ受信装置９は、ＧＰＳ衛星からの信号を受信し移動体とＧＰＳ衛星間の距離と距離の変化率とを３個以上の衛星に対して測定することで移動体の現在地、進行速度および進行方位を測定するものである。これらの各装置は、車載器１００が搭載された車両の現在地を検出するために演算処理装置１で用いられる。
【００２５】
ＦＭ多重放送受信装置１０は、ＦＭ放送局から送られてくるＦＭ多重放送信号を受信する。ＦＭ多重放送には、ＶＩＣＳ情報の概略現況交通情報、規制情報、ＳＡ／ＰＡ（サービスエリア／パーキングエリア）情報、駐車場情報、天気情報およびＦＭ多重一般情報としてラジオ局が提供する文字情報などが含まれている。
【００２６】
ビーコン受信装置１１は、ＶＩＣＳ情報などの概略現況交通情報、規制情報、ＳＡ／ＰＡ（サービスエリア／パーキングエリア）情報、駐車場情報、天気情報および緊急警報などを受信する。ビーコン受信装置１１には、例えば、光により通信する光ビーコン、電波により通信する電波ビーコンなどがある。
【００２７】
図２は、車載器１００の機能ブロックの一例を示した図である。以下、本実施形態の特徴的な動作に関わる点について説明する。車載器１００は、制御部１１０と、記憶部１２０とを有している。制御部１１０は、車載器１００の全体を統括的に制御する。記憶部１２０は、制御部１１０による情報制御処理に必要な情報を記憶している。
【００２８】
制御部１１０を構成する各処理部は、ＣＰＵ２１がプログラムを実行することにより各々の機能を実現する。また、記憶部１２０は、記憶装置３によりその機能が実現される。なお、記憶部１２０は、車載器１００と通信可能に接続された図示しないネットワーク上の記憶装置によってその機能が実現されてもよい。
【００２９】
制御部１１０は、操作情報受付部１１１と、操作検知部１１２と、表示制御部１１３と、を備える。操作情報受付部１１１は、入力装置５を介したユーザーからの入力操作を受け付ける。この場合、入力装置５は、入力部として機能する。例えば、操作検知部１１２は、出発地および目的地の設定や推奨経路の探索指示などをユーザーから受け付ける。
【００３０】
なお、本実施形態において、操作情報受付部１１１は車載器１００の有する入力装置５に対する入力操作を受け付けるが、操作情報受付部１１１の受け付ける入力操作は車載器１００の入力装置５に対してなされたものに限定されない。例えば、車載器１００に対して通信可能に接続された図示しないタッチパネルリモコン等の入力装置に対してなされた入力操作を受け付けてもよい。
【００３１】
操作検知部１１２は、ユーザーの指または専用のタッチペンによるタッチパネル５１上の操作を検知する。具体的には、操作検知部１１２は、タッチパネル５１へのタッチならびにタッチを継続しながらタッチ位置を変更する操作（以下、スライド操作という。いわゆるドラッグ操作も、スライド操作に含まれる）およびタッチの解除を検知する。また、操作検知部１１２は、タッチされているタッチパネル５１上の座標位置およびタッチが解除された座標位置を特定する。
【００３２】
また、操作検知部１１２は、これらのタッチ操作やタッチの解除を検知すると、タッチ操作の種類（スライド操作等）と、タッチされている座標位置、タッチが解除された座標位置とを対応付けた信号を生成し、表示制御部１１３に出力する。なお、操作検知部１１２は、タッチ開始位置から現在のタッチ位置までの距離が予め定められた所定距離以上である場合に、タッチ操作の種類がスライド操作であると判定する。即ち、操作検知部１１２は、所定のスライド操作を検出する。
【００３３】
表示制御部１１３は、車載器１００の有するディスプレイ２及び外部ディスプレイ２００の有する複数の表示領域に対して、表示情報を割り当てて表示させる。表示制御部１１３は、表示領域と表示情報とが関連付けられた後述する配置情報を参照し、各々の表示領域に表示情報を表示させる。
【００３４】
また、表示制御部１１３は、操作検知部１１２から出力された信号を参照し、所定のスライド操作が行われたか否かを判定する。表示制御部１１３は、所定のスライド操作が行われたと判定する場合に、表示情報の割り当てを変更する。表示制御部１１３は、所定のスライド操作が行われたと判定する場合に、１つの表示領域に割り当てられた表示情報を、他の表示領域に割り当てるよう割り当てを変更する。表示制御部１１３は、変更された割り当てに従って表示領域の表示を変更する。
【００３５】
記憶部１２０は、割当情報１２１を記憶している。割当情報１２１は、複数の表示領域に対して表示される、互いに異なる表示情報の割り当てに関する情報である。割当情報１２１は、表示領域の位置毎に、表示する情報の種別が割り当てられた情報である。割当情報１２１は、後述する所定の配置順を含んでいる。
【００３６】
以下、操作情報受付部１１１が、タッチパネルとしての機能を有する車載器１００の備えるディスプレイ２への入力操作を受け付けるものとして説明する。しかしながら、先述したように、操作情報受付部１１１が入力を受け付けるのは車載器１００の有する装置に限られない。また、表示制御部１１３は、車載器１００の有するディスプレイ２に表示情報を表示する例を用いて説明するが、表示制御部１１３はディスプレイ２に情報を表示させず、１又は複数の外部ディスプレイ２００のみに表示情報を表示させるものであってもよい。
【００３７】
図３は、割当情報１２１の一例を示す図である。割当情報１２１は、ディスプレイ識別子と、表示領域識別子と、表示情報と、を含む。ディスプレイ識別子は、車載器１００が表示の制御を行うディスプレイを特定する情報である。本実施形態において、ディスプレイ識別子は、車載器１００の有するディスプレイ２及び外部ディスプレイ２００を識別可能である。表示領域識別子は、対応するディスプレイ識別子に係るディスプレイの有する１又は複数の表示領域を特定する情報である。
【００３８】
表示情報は、表示する情報の種別を示す情報である。表示情報には、所定の配置順で表示情報の種別が関連付けられている。
【００３９】
表示情報の種別には、例えば「ナビゲーション（以下「ＮＡＶＩ」）」と、「ツール１（以下「ＴＯＯＬ１」）」と、「アプリケーション（以下「ＡＰＰ」）」と、「オーディオ（以下「ＡＵＤＩＯ」）」とが含まれる。「ＮＡＶＩ」は、地図、メニュー、ナビゲーションの設定情報、右左折情報（矢印）や交差点名を含む誘導情報等の、ナビゲーション情報を表示するための種別である。「ＴＯＯＬ１（及び後述のＴＯＯＬ２）」は、時計、各種インジケーター、エアコンの操作等に関する設定ボタン、電話又はメールに関する通信情報、車速センサー７やジャイロセンサー８又は車載された図示しないセンサの取得したセンシング情報、又は車の燃費に関する情報等の、ツール情報を表示するための種別である。
【００４０】
「ＡＰＰ」は、各種アプリケーション、ランチャー呼出ボタン等の、アプリケーション情報を表示するための種別である。「ＡＵＤＩＯ」は、各音源に関する情報、映像に関する情報、基本操作ボタン等の、音楽再生に関する情報を表示するための種別である。このほか、表示情報の種別には、「カメラ（以下「ＣＡＭＥＲＡ」）」が含まれていてもよい。「ＣＡＭＥＲＡ」は、車外カメラの情報等、カメラを用いて取得された情報を表示するための種別である。
【００４１】
図３（Ａ）において、ディスプレイ識別子の「Ｄ１」に対し、表示領域識別子の「Ｒ１１」、「Ｒ１２」、「Ｒ１３」、「Ｒ１４」が関連付けられている。これは、識別子「Ｄ１」により特定されるディスプレイが、「Ｒ１１」、「Ｒ１２」、「Ｒ１３」、「Ｒ１４」の４つの表示領域を有することを示す。
【００４２】
また、図３（Ａ）において、表示領域識別子の「Ｒ１１」に対し、表示情報の「ＮＡＶＩ」が、表示領域識別子の「Ｒ１２」に対し、表示情報の「ＴＯＯＬ１」が、表示領域識別子の「Ｒ１３」に対し、表示情報の「ＡＰＰ」が、表示領域識別子の「Ｒ１４」に対し、表示情報の「ＡＵＤＩＯ」が、各々関連付けられている。これは、「Ｒ１１」の表示領域に「ＮＡＶＩ」の種別の表示情報が、「Ｒ１２」の表示領域に「ＴＯＯＬ１」の種別の表示情報が、「Ｒ１３」の表示領域に「ＡＰＰ」の種別の表示情報が、「Ｒ１４」の表示領域に「ＡＵＤＩＯ」の種別の表示情報が、各々表示されることを示す。
【００４３】
なお、図３（Ａ）において、表示情報は「ＮＡＶＩ」、「ＴＯＯＬ１」、「ＡＰＰ」、「ＡＵＤＩＯ」の順に配列している。これを配置順α１とする。以後、ユーザーの操作に応じて各表示領域に表示される表示情報の割り当てが変更されるが、配置順α１は変更されない。換言すれば、割当情報１２１は、所定の配置順を有する。
【００４４】
本実施形態では、割当情報１２１を用いて、１つのディスプレイ内の３つ以上の表示領域に対して表示情報の割り当ての変更を行うモード１と、複数のディスプレイの有する表示領域に対して表示情報の割り当ての変更を行うモード２と、が実現可能である。
【００４５】
例えば、車載器１００の表示制御部１１３により表示制御可能なディスプレイが１つ（例えばディスプレイ２）である場合に、モード１が実行されるよう設定され、表示制御部１１３により表示制御可能なディスプレイが複数（例えばディスプレイ２と外部ディスプレイ２００）接続されている場合に、モード２が実行されるよう設定されていてもよい。また、車載器１００において、モード１とモード２とのユーザーによる切替処理を受け付けることにより、車載器１００の実行する表示情報の割り当て方法が決定されてもよい。
【００４６】
＜モード１：３つ以上の表示領域を有するディスプレイに表示を行うモード＞
【００４７】
以下、１つのディスプレイに対して表示情報を割り当てるモードについて説明する。本モードにおいて、ディスプレイは、３つ以上の表示領域を有している。
【００４８】
図４は、モード１におけるディスプレイＤ１の表示態様の一例について説明するための図（その１）である。本図に示す例において、ディスプレイＤ１は、タッチパネルとしての機能を有するタッチパネルディスプレイである。また、図４（Ａ）のディスプレイＤ１には、全画面領域を縦２×横２の略均等に４分割した表示領域が示されている。各表示領域を、表示領域Ｒ１１・Ｒ１２・Ｒ１３・Ｒ１４とする。各表示領域Ｒ１１・Ｒ１２・Ｒ１３・Ｒ１４の大きさは操作により変更可能であるが、各表示領域間の相対的な位置関係は不変である。
【００４９】
また、ディスプレイＤ１は、オブジェクトＮ１・Ｎ２を有する。オブジェクトＮ１・Ｎ２は、ディスプレイＤ１を各表示領域に区切る境界線の交点Ｐ上に表示される。なお、本モードにおいて、各境界線は常時直角に交わる。オブジェクトＮ１は、各表示領域の大きさの変更指示を受け付ける。オブジェクトＮ１をタッチしながらスライドする操作を受け付けると、タッチ操作を終了した位置、即ちスライド操作の終了位置にオブジェクトＮ１が移動する。オブジェクトＮ１の移動に伴い、各境界線の交点ＰがオブジェクトＮ１の位置となるよう境界線が移動する。これにより、各表示領域の大きさが変更される。
【００５０】
なお、図４において、オブジェクトＮ１の形状はひし形であるが、その形状に制限はなく、例えば円形等であってもよい。
【００５１】
オブジェクトＮ２は、各表示領域への表示情報の割り当ての変更指示を受け付けるためのインジケーターである。オブジェクトＮ２が表示されている際に、ディスプレイＤ１への所定のスライド操作を受け付けると、表示制御部１１３はディスプレイＤ１の表示を変更させる。なお、オブジェクトＮ２は、スライド操作が受付可能であるか否かを示す指標に過ぎないため、スライド操作は、オブジェクトＮ２の表示位置上で行われるものでなくてよい。
【００５２】
なお、図４において、オブジェクトＮ２の形状は、大きさが異なり中心点が共通する２つの円からなるドーナツ形状であり、各表示領域の境界線を透過させて表示されているが、その形状及び表示態様に制限はない。
【００５３】
表示情報の割り当ての変更について説明する。ユーザーがディスプレイＤ１に対してスライド操作を行った場合、操作検知部１１２は、ユーザーのタッチ操作の位置を表示制御部１１３に出力する。表示制御部１１３は、ユーザーの操作位置に追従して、表示情報の見かけ上の表示位置を変更させる。図４（Ａ）に示すように、ユーザーがディスプレイＤ１に対して反時計回りにスライドする操作を行った場合、図４（Ｂ）に示すように、各表示情報の見かけ上の表示位置が、ユーザーのスライド操作に応じて反時計回りに回転するよう移動する。
【００５４】
なお、回転表示中の各表示領域の表示情報は、経時的に変化しない静止画であってもよいし、ナビゲーション画像に表示された地図情報のようにリアルタイムに更新されるものであってもよい。
【００５５】
ユーザーがスライド操作を終了すると、操作検知部１１２は、スライド操作の開始位置と、終了位置とを表示制御部１１３に通知する。図４において、スライド操作の開始位置はＴ１であり、スライド操作の終了位置はＴ２である。
【００５６】
表示制御部１１３は、基準点である各境界線の交点Ｐと開始位置Ｔ１とを結んで得られる線Ｌ１と、該交点Ｐと終了位置Ｔ２とを結んで得られる線Ｌ２とのなす角であるスライド角度θを算出する。表示制御部１１３は、スライド角度θを用いて、表示情報を変更する際の指標となるずらし量ｍを求める。
【００５７】
スライド角度θと、ずらし量ｍとの関係は、例えば以下のように定まる。なお、スライド角度θと、ずらし量ｍとの関係は、ずらし量の定義情報として、記憶部１２０の図示しない領域に予め記憶されている。
【００５８】
スライド方向が反時計回りの場合
０≦θ≦４５・・・ｍ＝０
４５＜θ≦１３５・・・ｍ＝１
１３５＜θ≦２２５・・・ｍ＝２
２２５＜θ≦３１５・・・ｍ＝３
反時計回りに１周以上スライドされた場合は、θから３６０×ｑ（ｑ：周数）を減算して得た値を上述の定義情報に当てはめてずらし量ｍを求める。
【００５９】
スライド方向が時計回りの場合
−４５＜θ≦０・・・ｍ＝０
−１３５＜θ≦−４５・・・ｍ＝−１
−２２５＜θ≦−１３５・・・ｍ＝−２
−３１５＜θ≦−２２５・・・ｍ＝−３
時計回りに１周以上スライドされた場合は、θから３６０×ｑ（ｑ：周数）を加算して得た値を上述の定義情報に当てはめてずらし量ｍを求める。
【００６０】
即ち、θが４５度以上である場合、θが９０度増加する毎にずらし量が１つずつ増加する。また、θが−４５度未満である場合、θが９０度減少する毎にずらし量が１つずつ減少する。ずらし量が正である場合と、ずらし量が負である場合とでは、ずらす方向が異なる。
【００６１】
付言すれば、表示制御部１１３は、スライド角度が所定の条件を満たす（上述の例では４５度以上又は−４５度未満）場合に、所定のスライド操作が検出されたものとして、表示情報の割り当てを変更する。
【００６２】
図３を用いて、ずらし量について説明する。図３（Ａ）に示す割当情報１２１について、ずらし量が＋１である操作が行われた場合、表示制御部１１３は、配置順α１を保ったまま、表示情報を下方向に１つずつずらす。図３（Ａ）の割当情報１２１を下方向に１つずつずらして生成された割当情報１２１が図３（Ｂ）である。図３（Ａ）において「Ｒ１１」の表示領域と関連付けられていた「ＮＡＶＩ」の表示情報は、図３（Ｂ）において「Ｒ１２」の表示領域と関連するよう変更されている。同様に、「Ｒ１２」の表示領域と関連付けられていた「ＴＯＯＬ１」の表示情報は「Ｒ１３」の表示領域と関連するよう変更され、「Ｒ１３」の表示領域と関連付けられていた「ＡＰＰ」の表示情報は「Ｒ１４」の表示領域と関連するよう変更され、「Ｒ１４」の表示領域と関連付けられていた「ＡＵＤＩＯ」の表示情報は「Ｒ１１」の表示領域と関連するよう変更される。
【００６３】
なお、ずらし量ｍが負である場合、表示制御部１１３は、配置順α１を保ったまま、表示情報を上方向にずらす。
【００６４】
図５は、モード１におけるディスプレイＤ１の表示態様の一例について説明するための図（その２）である。本図は、図４（Ａ）においてずらし量ｍ＝１である操作を受け付けた場合の変更後のディスプレイＤ１の表示例である。「ＮＡＶＩ」の表示情報は、「Ｒ１１」の表示領域から「Ｒ１２」の表示領域に表示が変更されるよう、反時計回りへ表示位置が移動する。同様に、「ＴＯＯＬ１」の表示情報は、「Ｒ１２」の表示領域から「Ｒ１３」の表示領域へと表示が変更され、「ＡＰＰ」の表示情報は、「Ｒ１３」の表示領域から「Ｒ１４」の表示領域へと表示が変更され、「ＡＵＤＩＯ」の表示情報は「Ｒ１４」の表示領域から「Ｒ１１」の表示領域へと表示が変更される。
【００６５】
換言すれば、各表示情報の表示位置は、操作方向に応じて時計回り又は反時計回りに回転するように変更される。また、各表示情報の表示位置は、スライド角度に応じたずらし量でずれるように変更される。
【００６６】
付言すれば、スライド操作中には、図４（Ｂ）に示すように、各表示情報の見かけ上の位置が移動する。しかしながら、スライド操作が終了すると、図５に示すように、各表示領域に対して割り当て変更後の表示情報が表示される。即ち、スライド操作が終了すると、各表示情報は表示領域に対して吸い付く（スナップ）ように表示される。
【００６７】
本モードにより、ユーザーのスライド操作に応じて、各表示領域に割り当てられる表示情報を適切に変更することができる。また、スライド操作の操作方向に応じて、表示領域に割り当てる表示情報のずらし方向が変更され、スライド角度に応じてずらし量が変動するため、より直感的な表示を実現することができる。
【００６８】
図６は、モード１におけるディスプレイＤ１の表示態様の一例について説明するための図（その３）である。ユーザーがオブジェクトＮ１をタッチしながらスライド操作を行うと、スライド操作の終了位置にオブジェクトＮ１が移動する。図６（Ａ）において、オブジェクトＮ１にタッチしたユーザーが矢印方向にスライド操作を行うと、図６（Ｂ）に示すように、スライド操作終了位置にオブジェクトＮ１が移動する。
【００６９】
図６（Ａ）に示すように、オブジェクトＮ１がディスプレイＤ１（即ち、表示画面）の中央付近に表示されている場合に、オブジェクトＮ２が表示される。オブジェクトＮ１がディスプレイＤ１の中央付近から移動した場合、オブジェクトＮ２の表示は消去される。再度オブジェクトＮ１がディスプレイＤ１の中央付近に移動すると、再度オブジェクトＮ２が表示される。付言すれば、オブジェクトＮ２が表示されているとき、オブジェクトＮ２は境界線の交点付近に表示される。
【００７０】
先述したように、オブジェクトＮ２は、各表示領域への表示情報の割り当ての変更指示を受け付けるためのインジケーターである。従って、オブジェクトＮ２が表示されていない場合、即ちオブジェクトＮ１がディスプレイＤ１の中央付近に位置しない場合、操作検知部１１２がスライド操作に関する情報を取得した場合であっても、表示制御部１１３は表示情報の割り当ての変更を行わない。換言すれば、オブジェクトＮ２は、表示領域が略均等に４分割されている際に、回転操作が可能であることを示すインジケーターであるといえる。
【００７１】
即ち、表示制御部１１３は、オブジェクトＮ１をディスプレイＤ１の中央付近に移動させる操作が検出されると、オブジェクトＮ２を表示させる操作を受け付けたものとして、オブジェクトＮ２を表示する。オブジェクトＮ２は、制御部１１０がスライド操作の入力を受け付け可能であることを示している。
【００７２】
なお、ディスプレイＤ１の中央付近とは、ディスプレイＤ１に含まれる各表示領域が略同じ大きさとなる場合の交点位置を示しており、一般的な誤差範囲を包含するものであって、厳密に中央位置であることを意味しない。
【００７３】
本実施形態によれば、表示の変更を行うスライド操作の入力が可能であるか否かを示すインジケーターが表示されるため、ユーザーはスライド操作が可能であるか否かを適切に判断することができる。
【００７４】
＜モード２：複数のディスプレイに表示を行う例＞
【００７５】
以下、複数のディスプレイに表示を行うモード２について説明する。以下、モード１と異なる点について説明する。モード１では、３つ以上の表示領域を有する１つのディスプレイに対して、表示情報を割り当てるものであった。モード２では、複数のディスプレイに含まれる複数の表示領域に対して、表示情報を割り当てる。
【００７６】
モード２において、１つのディスプレイに含まれる表示領域は、単数であっても複数であってもよい。車載器１００は、複数のディスプレイに含まれる表示領域の総数が複数である場合の各表示領域に対する表示情報の割り当てを行う。
【００７７】
図７は、割当情報１２１の他の例を示す図である。本図に示す割当情報１２１では、「Ｄ１」及び「Ｄ２」のディスプレイ識別子に対して、表示情報が関連付けられている。なお、本図において、「Ｄ１」のディスプレイには「Ｒ１１」、「Ｒ１２」、「Ｒ１３」、及び「Ｒ１４」の表示領域識別子が関連付けられ、「Ｄ２」のディスプレイには、「Ｒ２１」、及び「Ｒ２２」の表示領域識別子が関連付けられている。
【００７８】
また、割当情報１２１は、「ＮＡＶＩ」、「ＴＯＯＬ１」、「ＡＰＰ」、「ＡＵＤＩＯ」、及び「ツール２（以下、ＴＯＯＬ２）」、「カメラ（以下、ＣＡＭＥＲＡ）」の表示情報がこの順で含まれている。この配置順を、配置順α２とする。
【００７９】
上述のモード１と同様に、ユーザーからのスライド操作を受け付けると、表示制御部１１３はスライド方向を特定する。また、表示制御部１１３は、スライド角度を用いてずらし量を特定する。表示制御部１１３は、スライド操作に応じた方向及びずらし量を用いて、割当情報１２１内の表示情報をずらす。即ち、表示制御部１１３は、異なる複数のディスプレイに表示された表示情報についても、配置順α２を保ったまま、スライド操作に応じて割り当てを変更する。
【００８０】
図８は、モード２におけるディスプレイの表示態様の一例について説明するための図（その１）である。ディスプレイＤ１は、「Ｒ１１」、「Ｒ１２」、「Ｒ１３」、及び「Ｒ１４」の表示領域を含む。また、ディスプレイＤ２は、「Ｒ２１」、「Ｒ２２」、及び「Ｒ２３」の表示領域を含む。ディスプレイＤ１は、モード１と同様に、タッチパネルとしての機能を有するタッチパネルディスプレイである。
【００８１】
ディスプレイＤ２に含まれる「Ｒ２３」の表示領域は、表示情報の割り当てを変更しない表示領域である。ディスプレイＤ２は、例えば運転席前方に設けられたメーターディスプレイであって、「Ｒ２３」の表示領域は、スピードメーター等の計器情報を表示する領域である。即ち、割当情報１２１は、「Ｒ２３」の表示領域識別子を含まない。
【００８２】
図９は、モード２におけるディスプレイの表示態様の一例について説明するための図（その２）である。図９は、図８に示すディスプレイＤ１に対し、反時計回りのスライド操作が入力され、スライド操作を用いて特定されたずらし量が１であった場合のディスプレイの表示態様を示している。
【００８３】
即ち、図８において「Ｒ１１」の表示領域に表示された「ＮＡＶＩ」の表示情報は、配置情報においてずらし量が１つずれることにより、「Ｒ１２」の表示領域に表示される。同様に、図８において「Ｒ１２」の表示領域に表示された「ＴＯＯＬ１」の表示情報は、図９において「Ｒ１３」の表示領域に表示され、図８において「Ｒ１３」の表示領域に表示された「ＡＰＰ」の表示情報は、図９において「Ｒ１４」の表示領域に表示される。
【００８４】
また、図８において「Ｄ１」のディスプレイの「Ｒ１４」の表示領域に表示された「ＡＵＤＩＯ」の表示情報は、「Ｄ２」のディスプレイの「Ｒ２１」の表示領域に表示される。図８において「Ｒ２１」の表示領域に表示された「ＴＯＯＬ２」の表示情報は、「Ｒ２２」の表示領域に表示される。また、図８において「Ｄ２」のディスプレイの「Ｒ２２」の表示領域に表示された「ＣＡＭＥＲＡ」の表示情報は、図９において「Ｄ１」のディスプレイの「Ｒ１１」の表示領域に表示される。
【００８５】
即ち、ずらし量が１である場合、ディスプレイＤ１に表示されていた１つの表示情報が、押し出されるように他の表示装置であるディスプレイＤ２に移動する。また、ディスプレイＤ２に表示されていた１つの表示情報が、代わりにディスプレイＤ１に移動してくる。
【００８６】
このように、異なるディスプレイに表示される表示領域の総数が複数である場合にも、表示制御部１１３はユーザーのスライド操作に応じた表示情報の割り当ての変更を行う。表示制御部１１３は、変更した割当情報１２１に基づいて、表示領域に対して表示情報を表示する。これにより、異なるディスプレイであっても、直感的な表示情報の変更が可能となる。
【００８７】
＜動作の説明＞
【００８８】
次に、車載器１００で実行される表示変更処理について説明する。
【００８９】
図１０は、表示変更処理の一例を示すフローチャートである。本処理は、例えば車載器１００が起動すると開始される。
【００９０】
表示変更処理が開始されると、操作検知部１１２は、ユーザーからスライド操作を受け付けたか否かを判定する（ステップＳ００１）。具体的には、操作情報受付部１１１から、タッチパネル５１への操作を示す信号を受け付けると、操作検知部１１２は、タッチ開始位置及び現在のタッチ位置を用いて、スライド操作を受け付けたか否かを判定する。なお、操作検知部１１２は、タッチ開始位置から現在のタッチ位置までの距離が予め定められた所定距離以上である場合に、スライド操作を受け付けた（即ちスライド操作を検出した）と判定する。
【００９１】
操作検知部１１２が、スライド操作を受け付けたと判定する場合（ステップＳ００１で「ＹＥＳ」の場合）、操作検知部１１２は、スライド操作の開始位置と現在のタッチ位置との各々を示す座標情報を表示制御部１１３に出力する。その後、操作検知部１１２は、処理をステップＳ００２に移行する。
【００９２】
操作検知部１１２が、スライド操作を受け付けていないと判定する場合（ステップＳ００１で「ＮＯ」の場合）、操作検知部１１２は、ステップＳ００１の処理を繰り返し実行する。
【００９３】
次に、表示制御部１１３は、表示情報の位置を回転させる（ステップＳ００２）。具体的には、表示制御部１１３は、タッチ開始位置（即ちスライド操作の開始位置）と現在のタッチ位置とを用いてスライド角度を特定し、配置情報に含まれる複数の表示領域に割り当てられた各表示情報の表示位置が、特定したスライド角度で回転するように表示させる。即ち、先述の図４（Ｂ）に示すように、各表示情報の表示位置が、共通の中心点を中心として等しい回転角度で回転するよう表示される。
【００９４】
なお、上述の図８に示すように、複数のディスプレイに含まれる複数の表示領域に表示情報を割り当てる場合において、表示制御部１１３は、予め定められたディスプレイについてのみ、表示情報の表示位置を回転させてもよい。即ち、図８に示すディスプレイＤ１について、図４（Ｂ）と同様に表示情報の表示位置を回転させ、ディスプレイＤ２については表示情報の位置を移動させないよう設定されていてもよい。
【００９５】
次に、操作検知部１１２は、スライド操作が終了したか否かを判定する（ステップＳ００３）。具体的には、操作情報受付部１１１から、タッチパネル５１への操作を示す信号を受け付けると、操作検知部１１２は、タッチが解除されたか否かを判定する。
【００９６】
操作検知部１１２が、スライド操作が終了したと判定する場合（ステップＳ００３で「ＹＥＳ」の場合）、操作検知部１１２は、タッチ終了位置（即ちスライド操作終了位置）を示す信号を表示制御部１１３に出力する。その後、操作検知部１１２は、処理をステップＳ００４に移行する。
【００９７】
操作検知部１１２が、スライド操作が終了していないと判定する場合（ステップＳ００３で「ＮＯ」の場合）、操作検知部１１２は、ステップＳ００２からステップＳ００３の処理を繰り返す。
【００９８】
次に、表示制御部１１３は、スライド方向とスライド角度を特定する（ステップＳ００４）。具体的には、表示制御部１１３は、ステップＳ００１で受け付けたスライド操作の開始位置を示す情報と、ステップＳ００３で受け付けたスライド操作の終了位置を示す情報と、予め記憶部１２０の図示しない領域に記憶された交点の位置を示す情報と、を用いて、スライド角度を特定する。また、表示制御部１１３は、スライド操作の開始位置と、終了位置とを用いて、スライド方向を特定する。
【００９９】
次に、表示制御部１１３は、ずらし量を特定する（ステップＳ００５）。具体的には、表示制御部１１３は、記憶部１２０に記憶されたずらし量の定義情報を参照し、ステップＳ００４で特定したスライド角度に対応するずらし量を特定する。
【０１００】
次に、表示制御部１１３は、割り当てを変更して表示する（ステップＳ００６）。具体的には、表示制御部１１３は、ステップＳ００４で特定したスライド方向に対応する方向に向けて、配置順を保ったまま、ステップＳ００５で特定したずらし量だけ表示情報をずらし、割当情報１２１を変更する。表示制御部１１３は、変更した割当情報１２１を用いて、各表示領域に対して表示情報を表示させる。その後、表示制御部１１３は処理をステップＳ００１に戻す。
【０１０１】
本モードにより、ユーザーのスライド操作に基づいて、複数の表示領域に対する表示情報の割り当てが変更され、変更された割り当てに基づいて表示情報の表示が行われる。また、割り当ての変更には、スライド方向と、スライド角度とが用いられる。これにより、ユーザーの操作に基づいた直感的な表示の変更が可能となる。
【０１０２】
＜変形例：各座席に設けられた複数のディスプレイの表示変更＞
【０１０３】
図１１は、車内の各座席に設けられた複数のディスプレイに対し、車載器１００が表示変更を行う例の概要を示す図である。本例において、車載器１００はタッチパネル機能を有するディスプレイＤ２を有しており、各座席にはディスプレイＤ１・Ｄ３・Ｄ４・Ｄ５が設置されている。
【０１０４】
上述の実施形態と同様に、割当情報１２１において各ディスプレイに表示する表示情報が割り当てられている。ディスプレイＤ２へのスライド操作を受け付けると、車載器１００の表示制御部１１３は、スライド操作のスライド方向及びスライド角度を特定し、スライド角度からずらし量を算出する。表示制御部１１３は、特定したスライド方向及びずらし量に応じて、各表示情報の配置順を保ったまま、各ディスプレイへの表示情報の割り当てを変更する。表示制御部１１３は、割当情報１２１の変更に基づいて、表示領域に対する表示情報の表示を変更する。
【０１０５】
ディスプレイＤ１・Ｄ２・Ｄ３・Ｄ４・Ｄ５が各々１つ表示領域を有し、表示制御部１１３が反時計回りのスライド操作を受け付け、ずらし量が１つである場合について説明する。図１１の実線矢印に示す通り、表示制御部１１３の表示変更処理により、ディスプレイＤ１に表示されていた表示情報がディスプレイＤ２に表示され、ディスプレイＤ２に表示されていた表示情報がディスプレイＤ３に表示され、ディスプレイＤ３に表示されていた表示情報がディスプレイＤ４に表示され、ディスプレイＤ４に表示されていた表示情報がディスプレイＤ５に表示され、ディスプレイＤ５に表示されていた表示情報がディスプレイＤ１に表示される。
【０１０６】
また、ディスプレイＤ１・Ｄ２・Ｄ３・Ｄ４・Ｄ５が各々１つ表示領域を有し、表示制御部１１３が時計回りのスライド操作を受け付け、ずらし量が１つである場合について説明する。図１１の破線矢印に示す通り、表示制御部１１３の表示変更処理により、ディスプレイＤ１に表示されていた表示情報がディスプレイＤ５に表示され、ディスプレイＤ５に表示されていた表示情報がディスプレイＤ４に表示され、ディスプレイＤ４に表示されていた表示情報がディスプレイＤ３に表示され、ディスプレイＤ３に表示されていた表示情報がディスプレイＤ２に表示され、ディスプレイＤ２に表示されていた表示情報がディスプレイＤ１に表示される。
【０１０７】
なお、ディスプレイＤ１・Ｄ２・Ｄ３・Ｄ４・Ｄ５は、各々操作可能なタッチパネル機能を有していてもよい。この場合、車載器１００の操作情報受付部１１１が、いずれかのディスプレイに対するスライド操作を受け付ける。表示制御部１１３は、操作情報受付部１１１の受け付けた情報を用いて、割当情報１２１を変更する。表示制御部１１３は、変更後の割当情報１２１を用いて表示情報を表示する。
【０１０８】
また、ディスプレイＤ１・Ｄ２・Ｄ３・Ｄ４・Ｄ５のうち少なくとも１つのディスプレイが複数の表示領域を有している場合にも、上述の実施形態と同様に、予め定められた配置順を保ったまま、各々の表示領域に対してスライド操作に応じて表示情報が割り当てられる。
【０１０９】
このように、各座席に表示装置が設置されている場合においても、ユーザーの直感的な操作により、適切に表示情報の表示変更を行うことができる。
【０１１０】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１１１】
本実施形態において、情報制御装置が車載器１００である例を用いて説明したが、情報制御装置は車載される装置でなくてもよい。情報制御装置は、異なる複数のディスプレイに含まれる複数の表示領域に対する表示の制御を行うことのできる装置であればよい。又は、情報制御装置は、少なくとも３つの表示領域に対する表示の制御を行うことのできる装置であればよい。
【０１１２】
なお、車載器１００の機能構成は、理解を容易にするために、主な処理内容に応じて分類したものである。構成要素の分類の仕方や名称によって、本願発明が制限されることはない。上述に示す通り、車載器１００の構成は、処理内容に応じて、さらに多くの構成要素に分類することもできる。また、１つの構成要素がさらに多くの処理を実行するように分類することもできる。
【符号の説明】
【０１１３】
１：演算処理装置、２・Ｄ１・Ｄ２・Ｄ３・Ｄ４・Ｄ５：ディスプレイ、３：記憶装置、４：音声入出力装置、５：入力装置、６：ＲＯＭ装置、７：車速センサー、８：ジャイロセンサー、９：ＧＰＳ受信装置、１０：ＦＭ多重放送受信装置、１１：ビーコン受信装置、２１：ＣＰＵ、２２：ＲＡＭ、２３：ＲＯＭ、２４：Ｉ／Ｆ、２５：バス、４１：マイクロフォン、４２：スピーカー、５１：タッチパネル、５２：ダイヤルスイッチ、１００：車載器、１１０：制御部、１１１：操作情報受付部、１１２：操作検知部、１１３：表示制御部、１２０：記憶部、１２１：割当情報、２００：外部ディスプレイ、１０００：情報制御システム、Ｒ１１・Ｒ１２・Ｒ１３・Ｒ１４・Ｒ２１・Ｒ２２：表示領域、α１・α２：配置順
【図１】
2019020682.tif 000003
【図２】
2019020682.tif 000004
【図３】
2019020682.tif 000005
【図４】
2019020682.tif 000006
【図５】
2019020682.tif 000007
【図６】
2019020682.tif 000008
【図７】
2019020682.tif 000009
【図８】
2019020682.tif 000010
【図９】
2019020682.tif 000011
【図１０】
2019020682.tif 000012
【図１１】
2019020682.tif 000013